【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
第１のスピーカと、
第２のスピーカと、
前記第１のスピーカと前記第２のスピーカとが向かい合うように前記第１のスピーカと前記第２のスピーカとを隔てる、開口側部を有する実質的にＵ字形状の第１のスペーサーとを備えたスピーカシステムであって、
前記第１のスピーカと前記第２のスピーカとの向かい合う面が同じ位相の音を出力するように前記第１のスピーカと前記第２のスピーカとが配置され、
前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、
前記第１のスピーカと前記第２のスピーカの各々は、
フレームと、
振動板と、
前記振動板の上に配置された圧電素子と、
前記フレームと前記振動板とに接続され、前記振動板がリニアに振幅するように前記振動板を支持するダンパと、
前記振動板と前記フレームとの間の空隙を埋めるように形成されたエッジとを備え、前記ダンパが電極を兼ねる、スピーカシステム。
【請求項２】
前記第１の音道を通る音の伝達方向と、前記第１のスピーカおよび前記第２のスピーカの振動の振幅方向とが垂直となるように、前記第１の音道が形成されている、請求項１に記載のピーカシステム。
【請求項３】
少なくとも１つのバッフル板をさらに備え、
前記第１の音道を通った音が、前記第１のスピーカおよび前記第２のスピーカの振動の振幅方向に平行な方向に向かうように、前記少なくとも１つのバッフル板が形成されている、請求項１に記載のスピーカシステム。
【請求項４】
少なくとも１つのバッフル板をさらに備え、
前記第１の音道を通った音が、前記第１のスピーカおよび前記第２のスピーカの振動の振幅方向と垂直な方向に向かうように、前記少なくとも１つのバッフル板が形成されている、請求項１に記載のスピーカシステム。
【請求項５】
第３のスピーカと、
前記第２のスピーカと前記第３のスピーカとが向かい合うように前記第２のスピーカと前記第３のスピーカとを隔てる第２のスペーサーと
をさらに備え、
前記第２のスピーカと前記第３のスピーカとの向かい合う面が、同じ位相の音を出力するように前記第２のスピーカと前記第３のスピーカとが配置され、
前記第２のスピーカと前記第３のスピーカと前記第２のスペーサーとによって、前記第２のスピーカと前記第３のスピーカとの向かい合う面から出力される音が通る第２の音道が形成されている、請求項１に記載のスピーカシステム。
【請求項６】
前記第２の音道を通る音の伝達方向と、前記第２のスピーカおよび前記第３のスピーカの振動の振幅方向とが垂直となるように、前記第２の音道が形成されている、請求項５に記載のスピーカシステム。
【請求項７】
少なくとも１つのバッフル板をさらに備え、
前記第２の音道を通った音が、前記第２のスピーカおよび前記第３のスピーカの振動の振幅方向と平行な方向に向かうように、前記少なくとも１つのバッフル板が形成されている、請求項５に記載のスピーカシステム。
【請求項８】
少なくとも１つのバッフル板をさらに備え、
前記第２の音道を通った音が、前記第２のスピーカおよび前記第３のスピーカの振動の振幅方向と垂直な方向に向かうように、前記少なくとも１つのバッフル板が形成されている、請求項５に記載のスピーカシステム。
【請求項９】
前記第１の音道を通る音の伝達方向と前記第２の音道を通る音の伝達方向とが逆になるように、前記第１の音道と前記第２の音道とが形成されている、請求項５に記載のスピーカシステム。
【請求項１０】
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅する、請求項１に記載のスピーカシステム。
【請求項１１】
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅する、請求項１に記載のスピーカシステム。
【請求項１２】
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相である、請求項１１に記載のスピーカシステム。
【請求項１３】
前記第１のスピーカに入力される電気信号の位相は、前記第２のスピーカに入力される電気信号の位相と逆位相である、請求項１１に記載のスピーカシステム。
【請求項１４】
前記第１のスピーカと前記第２のスピーカの各々は、動電形スピーカである、請求項１に記載のスピーカシステム。
【請求項１５】
第１のスピーカと、
第２のスピーカと、
前記第１のスピーカと前記第２のスピーカとが向かい合うように前記第１のスピーカと前記第２のスピーカとを隔てる、開口側部を有する実質的にＵ字形状の第１のスペーサーと、
第３のスピーカと、
前記第２のスピーカと前記第３のスピーカとが向かい合うように前記第２のスピーカと前記第３のスピーカとを隔てる、開口側部を有する実質的にＵ字形状の第２のスペーサーとを備え、前記第１のスペーサー開口側部は、前記第２のスペーサー開口側部と向かい合ってかつ隔たれて配置される、スピーカシステムであって、
前記第１のスピーカと前記第２のスピーカとの向かい合う面が同じ位相の音を出力するように前記第１のスピーカと前記第２のスピーカとが配置され、
前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向である、スピーカシステム。
【請求項１６】
前記第１の音道を通る音の伝達方向と、前記第１のスピーカおよび前記第２のスピーカの振動の振幅方向とが垂直となるように、前記第１の音道が形成されている、請求項１５に記載のピーカシステム。
【請求項１７】
少なくとも１つのバッフル板をさらに備え、
前記第１の音道を通った音が、前記第１のスピーカおよび前記第２のスピーカの振動の振幅方向に平行な方向に向かうように、前記少なくとも１つのバッフル板が形成されている、請求項１５に記載のスピーカシステム。
【請求項１８】
少なくとも１つのバッフル板をさらに備え、
前記第１の音道を通った音が、前記第１のスピーカおよび前記第２のスピーカの振動の振幅方向と垂直な方向に向かうように、前記少なくとも１つのバッフル板が形成されている、請求項１５に記載のスピーカシステム。
【請求項１９】
前記第２のスピーカと前記第３のスピーカとの向かい合う面が、同じ位相の音を出力するように前記第２のスピーカと前記第３のスピーカとが配置され、
前記第２のスピーカと前記第３のスピーカと前記第２のスペーサーとによって、前記第２のスピーカと前記第３のスピーカとの向かい合う面から出力される音が通る第２の音道が形成されている、請求項１５に記載のスピーカシステム。
【請求項２０】
前記第２の音道を通る音の伝達方向と、前記第２のスピーカおよび前記第３のスピーカの振動の振幅方向とが垂直となるように、前記第２の音道が形成されている、請求項１９に記載のスピーカシステム。
【請求項２１】
少なくとも１つのバッフル板をさらに備え、
前記第２の音道を通った音が、前記第２のスピーカおよび前記第３のスピーカの振動の振幅方向と平行な方向に向かうように、前記少なくとも１つのバッフル板が形成されている、請求項１９に記載のスピーカシステム。
【請求項２２】
少なくとも１つのバッフル板をさらに備え、
前記第２の音道を通った音が、前記第２のスピーカおよび前記第３のスピーカの振動の振幅方向と垂直な方向に向かうように、前記少なくとも１つのバッフル板が形成されている、請求項１９に記載のスピーカシステム。
【請求項２３】
前記第１の音道を通る音の伝達方向と前記第２の音道を通る音の伝達方向とが逆になるように、前記第１の音道と前記第２の音道とが形成されている、請求項１９に記載のスピーカシステム。
【請求項２４】
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅する、請求項１５に記載のスピーカシステム。
【請求項２５】
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅する、請求項１５に記載のスピーカシステム。
【請求項２６】
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相である、請求項２５に記載のスピーカシステム。
【請求項２７】
前記第１のスピーカに入力される電気信号の位相は、前記第２のスピーカに入力される電気信号の位相と逆位相である、請求項２５に記載のスピーカシステム。
【請求項２８】
前記第１のスピーカおよび前記第２のスピーカの各々は、
フレームと、
振動板と、
前記振動板の上に配置された圧電素子と、
前記フレームと前記振動板とに接続され、前記振動板がリニアに振幅するように前記振動板を支持するダンパと、
前記振動板と前記ダンパと前記フレームとの間の空隙を埋めるように形成されたエッジとを備え、
前記ダンパが電極を兼ねる、請求項１５に記載のスピーカシステム。
【請求項２９】
前記第１のスピーカと前記第２のスピーカの各々は、動電形スピーカである、請求項１５に記載のスピーカシステム。
【請求項３０】
第１のスピーカと、
第２のスピーカと、
前記第１のスピーカと前記第２のスピーカとが向かい合うように前記第１のスピーカと前記第２のスピーカとを隔てる、開口側部を有する実質的にＵ字形状の第１のスペーサーと、
第３のスピーカと、
前記第２のスピーカと前記第３のスピーカとが向かい合うように前記第２のスピーカと前記第３のスピーカとを隔てる第２のスペーサーとを備え、前記第１のスピーカと前記第２のスピーカとは、第１の音道に伝達方向を提供し、前記第２のスピーカと前記第３のスピーカとは、第２の音道に前記第１の音道から１８０度の角度に配置される伝達方向を提供する、スピーカシステムであって、
前記第１のスピーカと前記第２のスピーカとの向かい合う面が同じ位相の音を出力するように前記第１のスピーカと前記第２のスピーカとが配置される、スピーカシステム。
【請求項３１】
前記第１の音道を通る音の伝達方向と、前記第１のスピーカおよび前記第２のスピーカの振動の振幅方向とが垂直となるように、前記第１の音道が形成されている、請求項３０に記載のピーカシステム。
【請求項３２】
少なくとも１つのバッフル板をさらに備え、
前記第１の音道を通った音が、前記第１のスピーカおよび前記第２のスピーカの振動の振幅方向に平行な方向に向かうように、前記少なくとも１つのバッフル板が形成されている、請求項３０に記載のスピーカシステム。
【請求項３３】
少なくとも１つのバッフル板をさらに備え、
前記第１の音道を通った音が、前記第１のスピーカおよび前記第２のスピーカの振動の振幅方向と垂直な方向に向かうように、前記少なくとも１つのバッフル板が形成されている、請求項３０に記載のスピーカシステム。
【請求項３４】
前記第２のスピーカと前記第３のスピーカとの向かい合う面が、同じ位相の音を出力するように前記第２のスピーカと前記第３のスピーカとが配置されている、請求項３０に記載のスピーカシステム。
【請求項３５】
前記第２の音道を通る音の伝達方向と、前記第２のスピーカおよび前記第３のスピーカの振動の振幅方向とが垂直となるように、前記第２の音道が形成されている、請求項３４に記載のスピーカシステム。
【請求項３６】
少なくとも１つのバッフル板をさらに備え、
前記第２の音道を通った音が、前記第２のスピーカおよび前記第３のスピーカの振動の振幅方向と平行な方向に向かうように、前記少なくとも１つのバッフル板が形成されている、請求項３４に記載のスピーカシステム。
【請求項３７】
少なくとも１つのバッフル板をさらに備え、
前記第２の音道を通った音が、前記第２のスピーカおよび前記第３のスピーカの振動の振幅方向と垂直な方向に向かうように、前記少なくとも１つのバッフル板が形成されている、請求項３４に記載のスピーカシステム。
【請求項３８】
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅する、請求項３０に記載のスピーカシステム。
【請求項３９】
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅する、請求項３０に記載のスピーカシステム。
【請求項４０】
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相である、請求項３９に記載のスピーカシステム。
【請求項４１】
前記第１のスピーカに入力される電気信号の位相は、前記第２のスピーカに入力される電気信号の位相と逆位相である、請求項３９に記載のスピーカシステム。
【請求項４２】
前記第１のスピーカおよび前記第２のスピーカの各々は、
フレームと、
振動板と、
前記振動板の上に配置された圧電素子と、
前記フレームと前記振動板とに接続され、前記振動板がリニアに振幅するように前記振動板を支持するダンパと、
前記振動板と前記ダンパと前記フレームとの間の空隙を埋めるように形成されたエッジとを備え、
前記ダンパが電極を兼ねる、請求項３９に記載のスピーカシステム。
【請求項４３】
前記第１のスピーカと前記第２のスピーカの各々は、動電形スピーカである、請求項３９に記載のスピーカシステム。
【手続補正２】
【補正対象書類名】明細書
【補正対象項目名】００１０
【補正方法】変更
【補正の内容】
【００１０】
【課題を解決するための手段】
本発明のスピーカシステムは、第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーとを備えたスピーカシステムであって、前記第１のスピーカと前記第２のスピーカとの向かい合う面が同じ位相の音を出力するように前記第１のスピーカと前記第２のスピーカとが配置され、前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向であり、前記第１のスピーカと前記第２のスピーカの各々は、フレームと、振動板と、前記振動板の上に配置された圧電素子と、前記フレームと前記振動板とに接続され、前記振動板がリニアに振幅するように前記振動板を支持するダンパと、前記振動板と前記フレームとの間の空隙を埋めるように形成されたエッジとを備え、前記ダンパが電極を兼ねてもよい。
【手続補正３】
【補正対象書類名】明細書
【補正対象項目名】００１１
【補正方法】変更
【補正の内容】
【００１１】
前記第１の音道を通る音の伝達方向と、前記第１のスピーカおよび前記第２のスピーカの振動の振幅方向とが垂直となるように、前記第１の音道が形成されていてもよい。
【手続補正４】
【補正対象書類名】明細書
【補正対象項目名】００１２
【補正方法】変更
【補正の内容】
【００１２】
少なくとも１つのバッフル板をさらに備え、前記第１の音道を通った音が、前記第１のスピーカおよび前記第２のスピーカの振動の振幅方向に平行な方向に向かうように、前記少なくとも１つのバッフル板が形成されていてもよい。
【手続補正５】
【補正対象書類名】明細書
【補正対象項目名】００１３
【補正方法】変更
【補正の内容】
【００１３】
少なくとも１つのバッフル板をさらに備え、前記第１の音道を通った音が、前記第１のスピーカおよび前記第２のスピーカの振動の振幅方向と垂直な方向に向かうように、前記少なくとも１つのバッフル板が形成されていてもよい。
【手続補正６】
【補正対象書類名】明細書
【補正対象項目名】００１５
【補正方法】変更
【補正の内容】
【００１５】
前記第２の音道を通る音の伝達方向と、前記第２のスピーカおよび前記第３のスピーカの振動の振幅方向とが垂直となるように、前記第２の音道が形成されていてもよい。
【手続補正７】
【補正対象書類名】明細書
【補正対象項目名】００１６
【補正方法】変更
【補正の内容】
【００１６】
少なくとも１つのバッフル板をさらに備え、前記第２の音道を通った音が、前記第２のスピーカおよび前記第３のスピーカの振動の振幅方向と平行な方向に向かうように、前記少なくとも１つのバッフル板が形成されていてもよい。
【手続補正８】
【補正対象書類名】明細書
【補正対象項目名】００１７
【補正方法】変更
【補正の内容】
【００１７】
少なくとも１つのバッフル板をさらに備え、前記第２の音道を通った音が、前記第２のスピーカおよび前記第３のスピーカの振動の振幅方向と垂直な方向に向かうように、前記少なくとも１つのバッフル板が形成されていてもよい。
【手続補正９】
【補正対象書類名】明細書
【補正対象項目名】００２３
【補正方法】変更
【補正の内容】
【００２３】
前記第１のスピーカと前記第２のスピーカの各々は、動電形スピーカでもよい。
本発明のスピーカシステムは、第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーと、第３のスピーカと、前記第２のスピーカと前記第３のスピーカとが向かい合うように前記第２のスピーカと前記第３のスピーカとを隔てる、開口側部を有する実質的にＵ字形状の第２のスペーサーとを備え、前記第１のスペーサー開口側部は、前記第２のスペーサー開口側部と向かい合ってかつ隔たれて配置される、スピーカシステムであって、前記第１のスピーカと前記第２のスピーカとの向かい合う面が同じ位相の音を出力するように前記第１のスピーカと前記第２のスピーカとが配置され、前記第１のスピーカと前記第２のスピーカと前記第１のスペーサーとによって、前記第１のスピーカと前記第２のスピーカとの向かい合う面から出力される音が通る第１の音道が形成され、前記第１の音道は前記第１のスペーサーの開口側部に沿った方向でよい。
前記第１の音道を通る音の伝達方向と、前記第１のスピーカおよび前記第２のスピーカの振動の振幅方向とが垂直となるように、前記第１の音道が形成されてもよい。
少なくとも１つのバッフル板をさらに備え、前記第１の音道を通った音が、前記第１のスピーカおよび前記第２のスピーカの振動の振幅方向に平行な方向に向かうように、前記少なくとも１つのバッフル板が形成されてもよい。
少なくとも１つのバッフル板をさらに備え、前記第１の音道を通った音が、前記第１のスピーカおよび前記第２のスピーカの振動の振幅方向と垂直な方向に向かうように、前記少なくとも１つのバッフル板が形成されてもよい。
前記第２のスピーカと前記第３のスピーカとの向かい合う面が、同じ位相の音を出力するように前記第２のスピーカと前記第３のスピーカとが配置され、前記第２のスピーカと前記第３のスピーカと前記第２のスペーサーとによって、前記第２のスピーカと前記第３のスピーカとの向かい合う面から出力される音が通る第２の音道が形成されてもよい。
前記第２の音道を通る音の伝達方向と、前記第２のスピーカおよび前記第３のスピーカの振動の振幅方向とが垂直となるように、前記第２の音道が形成されてもよい。
少なくとも１つのバッフル板をさらに備え、前記第２の音道を通った音が、前記第２のスピーカおよび前記第３のスピーカの振動の振幅方向と平行な方向に向かうように、前記少なくとも１つのバッフル板が形成されてもよい。
少なくとも１つのバッフル板をさらに備え、前記第２の音道を通った音が、前記第２のスピーカおよび前記第３のスピーカの振動の振幅方向と垂直な方向に向かうように、前記少なくとも１つのバッフル板が形成されてもよい。
前記第１の音道を通る音の伝達方向と前記第２の音道を通る音の伝達方向とが逆になるように、前記第１の音道と前記第２の音道とが形成されてもよい。 
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅してもよい。
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅してもよい。
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相でよい。
前記第１のスピーカに入力される電気信号の位相は、前記第２のスピーカに入力される電気信号の位相と逆位相でよい。
前記第１のスピーカおよび前記第２のスピーカの各々は、フレームと、振動板と、前記振動板の上に配置された圧電素子と、前記フレームと前記振動板とに接続され、前記振動板がリニアに振幅するように前記振動板を支持するダンパと、前記振動板と前記ダンパと前記フレームとの間の空隙を埋めるように形成されたエッジとを備え、前記ダンパが電極を兼ねてもよい。
前記第１のスピーカと前記第２のスピーカの各々は、動電形スピーカでよい。
本発明のスピーカシステムは、第１のスピーカと、第２のスピーカと、前記第１のスピーカと前記第２のスピーカとが向かい合うように前記第１のスピーカと前記第２のスピーカとを隔てる、開口側部を有する実質的にＵ字形状の第１のスペーサーと、第３のスピーカと、前記第２のスピーカと前記第３のスピーカとが向かい合うように前記第２のスピーカと前記第３のスピーカとを隔てる第２のスペーサーとを備え、前記第１のスピーカと前記第２のスピーカとは、第１の音道に伝達方向を提供し、前記第２のスピーカと前記第３のスピーカとは、第２の音道に前記第１の音道から１８０度の角度に配置される伝達方向を提供する、スピーカシステムであって、前記第１のスピーカと前記第２のスピーカとの向かい合う面が同じ位相の音を出力するように前記第１のスピーカと前記第２のスピーカとが配置されてもよい。
前記第１の音道を通る音の伝達方向と、前記第１のスピーカおよび前記第２のスピーカの振動の振幅方向とが垂直となるように、前記第１の音道が形成されてもよい。
少なくとも１つのバッフル板をさらに備え、前記第１の音道を通った音が、前記第１のスピーカおよび前記第２のスピーカの振動の振幅方向に平行な方向に向かうように、前記少なくとも１つのバッフル板が形成されてもよい。
少なくとも１つのバッフル板をさらに備え、前記第１の音道を通った音が、前記第１のスピーカおよび前記第２のスピーカの振動の振幅方向と垂直な方向に向かうように、前記少なくとも１つのバッフル板が形成されてもよい。
前記第２のスピーカと前記第３のスピーカとの向かい合う面が、同じ位相の音を出力するように前記第２のスピーカと前記第３のスピーカとが配置されてもよい。
前記第２の音道を通る音の伝達方向と、前記第２のスピーカおよび前記第３のスピーカの振動の振幅方向とが垂直となるように、前記第２の音道が形成されてもよい。
少なくとも１つのバッフル板をさらに備え、前記第２の音道を通った音が、前記第２のスピーカおよび前記第３のスピーカの振動の振幅方向と平行な方向に向かうように、前記少なくとも１つのバッフル板が形成されてもよい。
少なくとも１つのバッフル板をさらに備え、前記第２の音道を通った音が、前記第２のスピーカおよび前記第３のスピーカの振動の振幅方向と垂直な方向に向かうように、前記少なくとも１つのバッフル板が形成されてもよい。
前記第１のスピーカと前記第２のスピーカとは、同一の構造を有しており、前記第１のスピーカと前記第２のスピーカとは、前記第１のスピーカの表面と前記第２のスピーカの表面とが向かい合うように、または、前記第１のスピーカの裏面と前記第２のスピーカの裏面とが向かい合うように配置されており、前記第１のスピーカと前記第２のスピーカとが同位相で振幅してもよい。
前記第１のスピーカと前記第２のスピーカとは、同一の構造を有しており、前記第１のスピーカと前記第２のスピーカとは、前記第１のスピーカの表面と前記第２のスピーカの裏面が向い合うように、または、前記第１のスピーカの裏面と前記第２のスピーカの表面とが向かい合うように配置されており、前記第１のスピーカと前記第２のスピーカとが逆位相で振幅してもよい。
前記第１のスピーカおよび前記第２のスピーカのそれぞれは、圧電素子を有する圧電スピーカであり、前記第１のスピーカの圧電素子の分極方向は、前記第２のスピーカの圧電素子の分極方向と逆向きであり、前記第１のスピーカに入力される電気信号の位相は、前記第２のスピーカに入力される電気信号の位相と同位相でよい。
前記第１のスピーカに入力される電気信号の位相は、前記第２のスピーカに入力される電気信号の位相と逆位相でよい。
前記第１のスピーカおよび前記第２のスピーカの各々は、フレームと、振動板と、前記振動板の上に配置された圧電素子と、前記フレームと前記振動板とに接続され、前記振動板がリニアに振幅するように前記振動板を支持するダンパと、前記振動板と前記ダンパと前記フレームとの間の空隙を埋めるように形成されたエッジとを備え、前記ダンパが電極を兼ねてもよい。
前記第１のスピーカと前記第２のスピーカの各々は、動電形スピーカでよい。

【手続補正１０】
【補正対象書類名】明細書
【補正対象項目名】０１５２
【補正方法】変更
【補正の内容】
【０１５２】
【発明の効果】
本発明のスピーカシステムによれば、第１のスピーカと第２のスピーカとの向かい合う面が同じ位相の音を出力するように第１のスピーカと第２のスピーカとが配置され、第１のスピーカと第２のスピーカと第１のスペーサーとによって、第１のスピーカと第２のスピーカとの向かい合う面から出力される音の音道が形成され、、第１の音道は第１のスペーサーの開口側部に沿った方向であり、第１のスピーカと第２のスピーカの各々は、フレームと、振動板と、振動板の上に配置された圧電素子と、フレームと振動板とに接続され、振動板がリニアに振幅するように振動板を支持するダンパと、振動板とフレームとの間の空隙を埋めるように形成されたエッジとを備え、ダンパが電極を兼ねる。これにより、複数のスピーカを用いて音圧を高くしつつ、スピーカを単体で用いた場合の表面積と同一の表面積を維持することが可能なスピーカシステムを提供することができる。